(57)【要約】【課題】  スライドバーが進退することで歯車列の中の１の歯車と他の歯車とのかみ合いを断続させる駆動機構を備えた画像形成装置において、安定して歯車をかみ合わせることができ、スライドバーに所定の位置よりさらに押し込まれるオーバーストロークを与えても、駆動機構を損傷するおそれの無い簡単な構成の駆動機構を備えた画像形成装置を提供する。【解決手段】  歯車列５２と、歯車列の少なくとも１の歯車５２ｂを揺動して歯車と他の歯車とのかみ合わせを断続する揺動レバー５３と、揺動レバーに設けられた弾性体５４と、押動部を先端側に備えたスライドバー５６と、スライドバーの後端側に設けられた開閉自在なドア５７とを有し、ドア５７が閉じるとスライドバー５６が先端方向に前進し、押動部が弾性体を押圧して揺動レバーを回動して歯車をかみ合わせることを特徴としている。【選択図】      図２
2007133114.tif 000002
【特許請求の範囲】
【請求項１】
入力された回転を出力軸に伝達する歯車列と、該歯車列を構成する少なくとも１の歯車を揺動して該歯車と他の歯車とのかみ合わせを断続する揺動レバーと、該揺動レバーを歯車のかみ合わせが外れる方向に付勢する断続用弾性体と、該揺動レバーの押圧部に設けられた弾性体と、該弾性体に接離する押動部を先端側に備えたスライドバーと、該スライドバーの後端側に設けられた開閉自在なカバーとを有し、前記カバーが閉じると前記スライドバーが先端方向に前進し、前記押動部が前記弾性体を押圧して前記揺動レバーを回動して歯車をかみ合わせることを特徴とする画像形成装置。
【請求項２】
前記カバーと前記スライドバーの後端とを係止する係合手段を設けたことを特徴とする請求項１記載の画像形成装置。
【請求項３】
入力された回転を出力軸に伝達する歯車列と、該歯車列を構成する少なくとも１の歯車を揺動して該歯車と他の歯車とのかみ合わせを断続する揺動レバーと、該揺動レバーに設けられた押圧部と、該押圧部に近接配置された係止部と、先端側に押動部を備えたスライドバーと、該スライドバーの後端側に設けられた開閉自在なカバーと、該カバーとスライドバー後端とを係止する係合手段とを有し、該カバーが閉じて前記スライドバーが先端方向に前進すると前記押動部が前記押圧部を押圧して前記揺動レバーを一方の方向に回動し、該カバーが開くと前記係合手段によりスライドバーが後退し、前記押動部が前記係止片と係合して前記揺動レバーを反対方向に回動することを特徴とする画像形成装置。
【請求項４】
前記押圧部に弾性体を設け、該弾性体を前記押動部が押圧することを特徴とする請求項２記載の画像形成装置。
【請求項５】
前記歯車のかみ合いを外す方向に前記揺動レバーを付勢する断続用弾性体を設けたことを特徴とする請求項２記載の画像形成装置。
【請求項６】
前記係合手段が、前記カバーとスライドバー端部の少なくとも一方に設けられた磁石であり、カバーを閉じたときスライドバー端部とカバーとが磁力により吸着し、カバーを大きく開いたときスライドバー端部とカバーとが離反することを特徴とする請求項２から５のいずれかに記載の画像形成装置。
【請求項７】
前記揺動する歯車と、該歯車がかみ合いを断続する歯車とのかみ合い深さを調整するかみ合い深さ調整手段を、前記揺動レバーと、前記揺動する歯車がかみ合いを断続する歯車との双方に設けたことを特徴とする請求項１から６のいずれかに記載の画像形成装置。
【請求項８】
前記揺動レバーが、前記揺動する歯車と前記歯車列の他の１以上の歯車を軸支し、そのうちの１の歯車の回転軸を中心に揺動することを特徴とする請求項１から７のいずれかに記載の画像形成装置。
【発明の詳細な説明】
【技術分野】
【０００１】
本発明はコピー機、ファクシミリ、プリンターなどの画像形成装置に関し、特に、歯車列を用いた駆動系を備え、紙詰まり除去等のメンテナンス作業の際に、この駆動系を切断して詰まった用紙を取り除くなど、各種のメンテナンス作業ができるようにした画像形成装置に関する。
【背景技術】
【０００２】
従来の画像形成には、紙詰まりの除去や各種のメンテナンスなどを目的とした開閉カバーが複数箇所に設けられている。そして、紙詰まりの起こった場所によっては、駆動系の歯車のかみ合いを切断し、フリーに回転できるようにして取り除くことが行われる。
【０００３】
たとえば、画像形成装置に使用されている熱定着装置に使用されるものとして、ヒートロールを駆動する歯車列の１つの歯車を、回動レバーに軸支し、回動レバーを回動することによって他の歯車とのかみ合いを断続可能にするものがある。回動レバーは、スライドバーの進退により回動し、スライドバーの進退は、画像形成装置のカバーの開閉に連動している。すなわち、カバーが開くとスライドバーが後退し、回動レバーはばねの付勢力で回転して歯車のかみ合いが外れ、駆動機構が切断され、カバーが閉じるとスライドバーが前進して回動レバーが逆方向に回転して歯車がかみ合い、駆動機構が接続状態に自動的に復帰できるようにされている。
【０００４】
しかしながら、この構成には次のような問題がある。画像形成装置のカバーの開閉は、スライドバーの進退運動によって回動レバーに伝達され、駆動系が断続されるのであるが、カバーは、閉じた状態を保つように、通常、ロック機構を有している。このロック機構を働かせるには、かならず、スライドバーを所定のカバーの閉止位置よりさらに奥に押し込んでから戻すことによってロックされるようになっている。すなわち、スライドバーは正規のかみ合い位置よりさらに進んで、回動レバーを所定の位置以上に回動することになる。これによって、歯車にはかみ合い限度を越えた力が加わり、歯車や回動レバーを損傷するおそれが生じる。
【０００５】
この問題に対し、特許文献１（特開平８−３０１６６号）に記載のものでは、歯車のかみ合いを適切に保つトラッキングロールを設け、さらに回動レバーを断続レバーで回動することで、この断続レバーの方に余分な回動を吸収させ、回動レバーにはかみ合い限度を越えた力が加わらないようにしたものが記載されている。回動レバーには歯車がかみ合う方向に回動レバーを付勢する第１ばねがあり、断続レバーには、回動レバーの弾性体と逆方向に付勢する第２ばねが設けられている。
【０００６】
ドアが閉じられてスライドバーが前進すると、スライドバーの先端が断続レバーに当接して回転させる。これによって断続レバーは回動レバーから離れ回動レバーをフリーにする。フリーになった回動レバーは第１ばねの力で回動し、回動レバーに軸支された歯車は、相手の歯車とかみ合う位置に移動する。ドアが開かれたときは、スライドバーが後退し、断続レバーはフリーな状態となり、第２ばねの付勢力で回動し、これによって回動レバーをかみ合いが外れる方向に回動する。このとき、回動レバーは第１のばねと第２のばねの付勢力の差により回動されることになる。
【特許文献１】特開平８−３０１６６号
【発明の開示】
【発明が解決しようとする課題】
【０００７】
しかしながら、特許文献１に記載のものは、回動レバーに加えて断続レバーが必要なので部品点数が多くなり、機構が複雑になって、コストアップとなる。また、スライドバーは、歯車のかみ合わせの断続を直接行わず、歯車のかみ合いの断続は、回動レバーや断続レバーを付勢している第１ばねと第２ばねの付勢力で行うので、歯車のかみ合わせを断続する動作の安定性に欠ける。特に、歯車のかみ合いを外すときは、歯車が強い力でかみ合っているので、大きな力が必要となる。しかし、特許文献１では、このかみ合いを外すときは、第１ばねと第２ばねの差の付勢力しか与えられないので、大きな力を与えにくい。
【０００８】
本発明は、かかる実情から考えられたもので、スライドバーが進退することで歯車列の中の１の歯車と他の歯車とのかみ合いを断続させる駆動機構を備えた画像形成装置において、安定して歯車をかみ合わせることができ、スライドバーに所定の位置よりさらに押し込むオーバーストロークを与えても、駆動機構を損傷するおそれの無い簡単な構成の駆動機構を備えた画像形成装置を提供することを第１の目的としている。また、ドアを開けたときに大きな力をスライドバーに与えて歯車のかみ合いを確実に外すことができる画像形成装置を提供することを第２の目的としている。
【課題を解決するための手段】
【０００９】
上記の第１の目的を達成するために本発明の画像形成装置は、入力された回転を出力軸に伝達する歯車列と、該歯車列を構成する少なくとも１の歯車を揺動して該歯車と他の歯車とのかみ合わせを断続する揺動レバーと、該揺動レバーを歯車のかみ合わせが外れる方向に付勢する断続用弾性体と、該揺動レバーの押圧部に設けられた弾性体と、該弾性体に接離する押動部を先端側に備えたスライドバーと、該スライドバーの後端側に設けられた開閉自在なカバーとを有し、前記カバーが閉じると前記スライドバーが先端方向に前進し、前記押動部が前記弾性体を押圧して前記揺動レバーを回動して歯車をかみ合わせることを特徴としている。前記カバーと前記スライドバーの後端とを係止する係合手段を設けた構成とすることができる。
【００１０】
また、第２の目的を達成するために本発明の画像形成装置は、入力された回転を出力軸に伝達する歯車列と、該歯車列を構成する少なくとも１の歯車を揺動して該歯車と他の歯車とのかみ合わせを断続する揺動レバーと、該揺動レバーに設けられた押圧部と、該押圧部に近接配置された係止部と、先端側に押動部を備えたスライドバーと、該スライドバーの後端側に設けられた開閉自在なカバーと、該カバーとスライドバー後端とを係止する係合手段とを有し、該カバーが閉じて前記スライドバーが先端方向に前進すると前記押動部が前記押圧部を押圧して前記揺動レバーを一方の方向に回動し、該カバーが開くと前記係合手段によりスライドバーが後退し、前記押動部が前記係止片と係合して前記揺動レバーを反対方向に回動することを特徴としている。この場合、前記押圧部に弾性体を設け、該弾性体を前記押動部が押圧する構成としたり、前記歯車のかみ合いを外す方向に前記揺動レバーを付勢する断続用弾性体を設けた構成としたりすることができる。
【００１１】
また、前記係合手段が、前記カバーとスライドバー端部の少なくとも一方に設けられた磁石であり、カバーを閉じたときスライドバー端部とカバーとが磁力により吸着し、カバーを大きく開いたときスライドバー端部とカバーとが離反する構成としたり、前記揺動する歯車と、該歯車がかみ合いを断続する歯車とのかみ合い深さを調整するかみ合い深さ調整手段を、前記揺動レバーと、前記揺動する歯車がかみ合いを断続する歯車との双方に設けた構成としたり、前記揺動レバーが、前記揺動する歯車と前記歯車列の他の１以上の歯車を軸支し、そのうちの１の歯車の回転軸を中心に揺動する構成としたりすることができる。
【発明の効果】
【００１２】
第１の目的を達成する構成によれば、次のように作用する。歯車列には複数の歯車があるが、その中の少なくとも１つの歯車は、揺動レバーに取り付けられ、揺動レバーが回動することによって、歯車列の他の歯車とかみ合ったり、かみ合いを解除したりする。揺動レバーは、スライドバーが前進してスライドバーに設けられた押動部が揺動レバーを押すことによってかみ合う方向に回動する。スライドバーが後退するときは、断続用弾性体の付勢力によりかみ合いが外れる方向に回動する。
【００１３】
紙詰まりやメンテナンスなどでドアを開くと、スライドバーがフリーな状態となり、断続用弾性体の付勢力で揺動レバーが回転し、かみ合いが外れることになる。
【００１４】
作業が終わり、ドアを閉じるとスライドバードアに押されて前進方向にスライドする。押動部が揺動レバーを押すことによって揺動レバーは回動し歯車がかみ合う。歯車が適切なかみ合いになったときがドアの閉止位置となるが、この位置ではドアはロックが掛からない。ドアをロックさせるには、ドアをさらに押し、スライドバーにオーバーストロークを与える必要がある。このとき、揺動レバーをさらに回動すると、歯車のかみ合い限度を越え、歯車列などを破損するおそれがあるが、本発明では、歯車が限度まで深くかみ合うと、揺動レバーはそれ以上回動せず、弾性体が弾性変位をすることで、スライドバーのオーバーストローク分を吸収する。ドアのロックが掛かる位置までスライドバーを押し込み、その後、ドアに加えた力を除くと、ドアは若干開き側に戻り、ロックがされる。このとき、揺動レバーもドアの戻りに応じて戻り、歯車は正規のかみ合い状態を保持することができる。
【００１５】
以上により、本発明によれば、スライドバーが進退することで歯車列の中の１の歯車と他の歯車とのかみ合いを断続させる駆動機構を備えた画像形成装置において、ドアを閉じるときに揺動レバーを積極的に回動することで確実に歯車をかみ合わせることができる。また、ドアをロックするために、スライドバーに、所定の位置よりさらに押し込むオーバーストロークを与えても、弾性体が弾性変位することで、駆動機構を損傷することを防止することができる。また、揺動レバーに弾性体を設けるだけで簡単な構成でオーバーストロークの吸収ができる。
【００１６】
第２の目的を達成する構成によれば、以下のように作用する。
揺動レバーには、スライドバーの押動部が前進するとき当接する押圧部と、押動部が後退するとき係止する係止部とがある。スライドバーはカバーの開閉に応じて進退するが、前進するとき揺動レバーを１方向に回動し、後退するときは係合手段によりスライドバーを強制的に後退させて揺動レバーを反対方向に回動する。
【００１７】
すなわち、揺動レバーはどちらの回転でもスライドバーにより強制的に回動されるので、歯車のかみ合いの断続が確実にできるようになる。係合手段を磁石にして、スライドバーとドアとを磁石で吸着させる構成とすると、ドアを開けるとき、磁石の吸着力による大きな力でスライドバーをスライドさせることができ、歯車が固くかみ合っている場合でも、揺動レバーを確実に回動させて、かみ合いを外すことができる。ドアが大きく開くと、磁石の吸着力にうち勝ってドアとスライドバーの後端とが離反するが、かみ合いが外れる位置まで揺動レバーが回動しているので、問題はない。揺動レバーの押圧部に弾性体を設けておけば、オーバーストロークを吸収することができる。
【００１８】
この場合、揺動レバーを歯車のかみ合いが外れる方向に付勢する断続用弾性体は必須ではないが、この断続用弾性体を設けると、かみ合いを外すときの力を小さくすることができる。また、係合手段は最初のかみ合いの固い部分さえ外せればよく、その後は断続用弾性体の付勢力で揺動レバーを回動することができる。
【００１９】
揺動する歯車と、この歯車がかみ合う歯車とのかみ合い深さを制限する深さ調整手段を設けておくことで、揺動レバーの回動量を制限して、歯車のかみ合いを適切に保持することができる。
【００２０】
前記揺動レバーが、前記揺動する歯車と前記歯車列の他の１以上の歯車を軸支し、そのうちの１の歯車の回転軸を中心に揺動する構成とすることによって、スペースを有効に使用することができる。
【発明を実施するための最良の形態】
【００２１】
以下、本発明に係る画像形成装置の実施の形態を添付図面に基づいて説明する。
【００２２】
図１は本発明の実施形態である画像形成装置１００の全体構成図である。この画像形成装置１００は、画像入力部である自動原稿搬送装置１０と画像読取部２０、画像形成部３０、給紙部４０、定着装置５０及び排紙部６０を備えて構成されている。
【００２３】
自動原稿搬送装置１０により搬送される原稿はスリットガラス１７上を通過する時に画像読取部２０によって原稿画像が読み取られる。画像読取部２０のＣＣＤセンサ２７は、読み取った原稿の光画像を電子画像データに変換して画像処理部（図示しない）に送る。画像処理部は、この電子画像データに種々の処理を行った後、ディジタルデータとして画像形成部３０へ搬送する。
【００２４】
画像形成部３０は、表面に静電潜像が形成されるドラム状の感光体１を中央に有しており、感光体１の外周面に沿って画像形成動作順に、帯電装置３１、露光装置３２、現像装置３３、転写分離装置３４及びクリーニング装置３５を配設している。
【００２５】
画像形成部３０の露光装置３２では、ディジタル化された画像情報データを、半導体レーザへと電気的に変調し、コリメータレンズを通してポリゴンミラー３６と補正レンズ群によって主走査方向に照射する。これを感光体１を回転させることで副走査方向にも照射し、原稿画像の静電潜像が感光体１上に再現される。
【００２６】
露光に先立ち、感光体１上には、帯電装置３１のコロナ放電により所定の表面電荷が付与されているが、レーザ光の照射により露光部分の電荷が露光量に応じて減じられ、結果として画像情報データに応じた静電潜像がそれぞれの感光体１上に形成される。静電潜像は、現像装置３３から供給された現像剤により可視化されてトナー画像となる。
【００２７】
画像形成装置１００本体の下部には、画像形成部３０に記録紙Ｐを供給する給紙部４０が設けられている。給紙部４０は大容量の給紙トレイ４２を有し、記録紙Ｐを収容する給紙トレイ４２の底部には持ち上げ手段により上方向に持ち上げられる可動板４３が配置されている。可動板４３は給紙開始信号を受けて、記録紙Ｐの最上部が上限検知センサで限定される上限位置にくるまで上昇する。
【００２８】
記録紙Ｐは、一対のローラを有する分離給送手段４４により一枚ずつ分離されて搬送路３７に送り出された後、中間ローラ及びレジストローラ３８に搬送されて画像形成部３０に送られる。感光体１の表面上に形成されたトナー画像は転写分離装置３４において記録紙上に一括転写され、転写された未定着トナー画像は定着装置５０によって記録紙Ｐに加熱定着された後、排紙ローラ６１にガイドされて装置外に排出される。
【００２９】
図２及び図３は、定着装置５０に設けられる定着ローラ５１の駆動系を示す模式図で、図２は駆動系が接続された状態、図３は切断された状態である。定着ローラ５１は、歯車列５２により駆動される。歯車列５２は、定着装置５０のフレーム５０ａに取り付けられており、定着ローラ５１側から順に、５２ａ，５２ｂ，５２ｃ，５２ｄ，５２ｅ，５２ｆの複数の歯車を有する。これらの歯車のうち、上端の歯車５２ｆが駆動側であり、図示しないモータ等の回転力が入力され、歯車列５２を介して定着ローラ５１に回転を伝達する。歯車列５２のうちの中間の歯車５２ｂ，５２ｃ，５２ｄは、揺動レバー５３に軸支されている。
【００３０】
図４は、揺動レバー５３の斜視図で、図５は正面図である。揺動レバー５３は、コ字状に対向配置された２枚の板５３ａ，５３ｂと、これらと一体に形成された係止部５３ｃと押圧部５３ｄ、とから構成されている。板５３ａ，５３ｂには、歯車５２ｂ，５２ｃ，５２ｄを軸支するためのそれぞれ３つの孔５３ａ１，５３ａ２，５３ａ３，５３ｂ１，５３ｂ２，５３ｂ３が穿設されている。一方の板５３ａの先端は円弧状に形成されたかみ合い深さ調整手段５３ｅとなっている。孔５３ａ３と孔５３ｂ３は、歯車５２ｂの回転軸を軸支し、孔５３ａ２と孔５３ｂ２は歯車５２ｃの回転軸を軸支し、孔５３ａ１と孔５３ｂ１は、歯車５２ｄの回転軸を軸支する。係止部５３ｃは、押圧部５３ｄから直角に起立した枠状で、押圧部５３ｄ上にはコイルスプリングなどの弾性体５４が取り付けられている。
【００３１】
図２に示すように、揺動レバー５３には、捻りばねからなる断続用弾性体５５が取り付けられているこの断続用弾性体５５は、「く」の字状で、一端がフレーム５０ａに固定され、中間の折曲部分が歯車５２ｄの軸に１回以上巻き付いて、他端がフック状で歯車５２ｂの軸に係止している。この断続用弾性体５５は、揺動レバー５３を歯車５２ｄの回転軸Ｏを中心にして反時計方向回り（歯車５２ｂが歯車５２ａとのかみ合いを外す方向）に付勢している。
【００３２】
スライドバー５６は、その長さ方向に進退することで先端の押動部５６ａが揺動レバー５３の押圧部５３ｄ又は弾性体５４に当接して回動するものである。
【００３３】
スライドバー５６は、ドア５７が閉じた状態のとき基端側がドア５７に当接し、永久磁石からなる係合手段５６ｂで吸着した状態となる。ドア５７は、画像形成装置１００に設けられたもので、定着装置５０に紙詰まりが発生した場合やメンテナンスなどの場合に、紙詰まりを取ったり、メンテナンス作業をするために使用するドアである。
【００３４】
また、スライドバー５６の先端の押動部５６ａは、平らな板を直角に折り曲げたもので、先端が係止部５３ｃの枠内にあって、スライドバー５６が前進すると弾性体５４を押圧し、スライドバー５６が後退すると、係止部５３ｃに引っかかる。
【００３５】
図３はドア５７が開いて、歯車のかみ合いが外れた状態を示す図である。以下、図２及び図３により、本発明の作用を説明する。
【００３６】
画像形成装置１００を稼働しているときは、図２の状態であり、紙詰まりやメンテナンスの場合は、図３に示すようにドア５７を開いて対応することになる。ドア５７が閉じた状態では、スライドバー５６の後端とドア５７とは、係合手段５６ｂの磁力により密着している。スライドバー５６は、弾性体５４の付勢力でも後退方向に付勢されているが、ドア５７が開くと、係合手段５６ｂによってドア５７と一緒にスライドバー５６も後退し、押動部５６ａも後退して係止部５３ｃに内側から引っかかり、揺動レバー５３を反時計方向に回動する。スライドバー５６は、弾性体５４と断続用弾性体５５の付勢力と、係合手段５６ｂの磁力とで後退方向に引っ張られる。このとき、歯車５２ｂは歯車５２ａにかみ合っており、かみ合いの力が大きく、簡単にはかみ合いを外せない。これに対し、弾性体５４及び断続用弾性体５５の付勢力とでスライドバー５６を後退方向に押し、係合手段５６ｂの吸引力で引っ張るので、揺動レバー５３は大きな力を受け、歯車５２ａと５２ｂとのかみ合いを外し易くなる。ドア５７をさらに大きく開くと、ドア５７とスライドバー５６の磁石による結合は強制的に離され、係合手段５６ｂの吸着力はスライドバー５６に加わらなくなるが、それまでに歯車５２ａと５２ｂとのかみ合いは外されているので、揺動レバー５３は、その後は軽く回動でき、弾性体５４及び断続用弾性体５５の付勢力で揺動レバー５３を反時計方向にさらに回動することができる。このとき、スライドバー５６もさらに後退することになる。定着ローラ５１は駆動系から切り離された状態となり、フリーになるので、紙詰まり除去などのメンテナンス作業を行うことができる。
【００３７】
作業が完了したら、ドア５７を閉じることになる。図２はドア５７が閉じた状態を示すが、ドア５７を閉じるとき、最初は図３に示すようにドア５７とスライドバー５６とは離れた状態で、ドア５７の閉じ角が所定の角度になると、ドア５７とスライドバー５６の後端とは係合部材５６ｂにより吸着される。その後、ドア５７はスライドバー５６の後端を押してスライドバー５６を前進させる。押動部５６ａは、最初は係止部５３ｃに当接しているが、スライドバー５６の前進が進むに連れて係止部５３ｃから離れる。かみ合い深さ調整手段５８，５３ｅが当接すると、この位置が適切なかみ合い位置となり、押動部５６ａは、図２に示す位置に達する。この状態でドア５７は閉じた状態になるが、それではドア５７をロックすることができない。弾性体５４は、さらにｄで示す分だけ弾性変位が可能である。スライドバー５６が、スライド方向に間隔ｄの範囲内でオーバーストロークとして前進することで、ドア５７をロック位置まで移動し、その後、オーバーストロークの距離だけ戻ってロックされ、図２に示す閉止状態になる。
【００３８】
また、揺動レバー５３は、その先端にある円弧状のかみ合い深さ調整手段５３ｅが、歯車５２ａと同心に設けられたかみ合い深さ調整手段５８の円盤と当接する位置までは回動するが、この位置からスライドバー５６がさらにスライドして揺動レバー５３をさらに回動させようとしても、それ以上深くかみ合うことができないようになっている。
【００３９】
なお、かみ合い深さ調整手段５８，５３ｅが無い場合は、歯車５２ａと５２ｂとが適正な嵌合位置を越えて一方の歯先が他方の歯底に着くまで揺動レバー５３が回動し、その後の回動は弾性体５４の変形で吸収することになる。
【００４０】
弾性体５４が無い場合でも、歯車のかみ合いなどに余裕がある場合は、スライドバー５６のオーバーストロークが許容され、揺動レバー５３をかみ合い位置よりさらに回動させて、ドア５７のロックを掛けることができる。
【００４１】
本発明では、押動部５６ａが揺動レバー５３を直接両方向に回動させるので、歯車のかみ合いの断続を安定して行うことができる。
【００４２】
また、本発明では、係止部５３ｃがない場合であっても、弾性体５４があれば、スライドバー５６のオーバーストロークを吸収することができる。
【００４３】
また、弾性体５４が無い場合、係止部５３ｃと押圧部５３ｄとの双方に押動部５６ａが係止し、スライドバー５６の往復いずれの移動でも揺動レバー５３を回動できるようになる。ただし、この場合、係止部５３ｃと押圧部５３ｄとの間の距離を図示のより狭くした方がよい。
【００４４】
係合手段５６ｂとしては永久磁石を例示したが、ドアとスライドバーとを係合できるものであれば、永久磁石以外のものを使用できる。
【図面の簡単な説明】
【００４５】
【図１】本発明の実施形態である画像形成装置の全体構成図である。
【図２】定着装置に設けられる定着ローラの駆動系を示す模式図である。
【図３】図２において、ドアが開いて、歯車のかみ合いが外れた状態を示す図である。
【図４】揺動レバーの斜視図である。
【図５】揺動レバーの正面図である。
【符号の説明】
【００４６】
５０      定着装置
５１      定着ローラ
５２      歯車列
５３      揺動レバー
５３ｃ    係止部
５３ｄ    押圧部
５３ｅ    かみ合い深さ調整手段
５４      弾性体
５５      断続用弾性体
５６      スライドバー
５６ａ    押動部
５６ｂ    係合手段
５７      ドア
【図１】
2007133114.tif 000003
【図２】
2007133114.tif 000004
【図３】
2007133114.tif 000005
【図４】
2007133114.tif 000006
【図５】
2007133114.tif 000007